(57)【要約】【課題】ブラケットに対する２つの天板支持枠体の角度設定と支持固定を正確かつ確実に行えるようにしたテーブル等の天板支持構造を提供すること。【解決手段】天板２と、複数の支柱と、一側で天板２を支持し他側で支柱に取り付けられたブラケットＢ１と、２つの支柱間に橋架したブラケットに支持される天板支持枠体とを有し、ブラケットＢ１が、２つの連結ビームＦ１，Ｆ２を任意の角度位置に選択的にそれぞれ支持固定できる構成とすることで、天板形状が変わっても天板支持枠体を正確にかつ確実にブラケットＢ１上に配設できる。【選択図】  図２
2004159694.tif 000002
【特許請求の範囲】
【請求項１】
天板と、複数の支柱と、一側で天板を支持し他側で支柱に取付けられたブラケットと、２つの支柱間に橋架した前記ブラケットに支持される天板支持枠体とを有するテーブル等の天板支持構造であって、前記ブラケットは２つの天板支持枠体を任意の角度位置に選択的にそれぞれ支持固定できることを特徴とするテーブル等の天板支持構造。
【請求項２】
前記ブラケットと天板支持枠体は軸と孔との嵌合で回動可能に支持され、該軸に挿通したボルトで固定される請求項１に記載のテーブル等の天板支持構造。
【請求項３】
前記天板支持枠体の前記ブラケットに対する角度位置の選択は一方に設けた複数の孔又はピンと、他方に設けたそれに対応して嵌合するピン又は孔である請求項１または２に記載のテーブル等の天板支持構造。
【請求項４】
前記天板支持枠体は中間ビームと連結ビームとで構成され、該連結ビームが前記ブラケットに対して支持固定されている請求項１ないし３の何れかに記載のテーブル等の天板支持構造。
【発明の詳細な説明】
【０００１】
【発明の属する技術分野】
本発明は、天板と、複数の支柱と、一側で天板を支持し他側で支柱に取付けられたブラケットと、２つの支柱間に橋架した前記ブラケットに支持される天板支持枠体とを有するテーブルや机等の天板支持構造に関する。
【０００２】
【従来の技術】
従来、天板の形状が変わっても同じ支柱を使用することができるようにするために、天板支持枠体を支柱に対して角度変更可能に取付けることができるようにしたテーブルは公知である（特許文献１参照）。
【０００３】
【特許文献１】
特公平７−１１１２０５号公報（第２頁、図１，１１）
【０００４】
【発明が解決しようとする課題】
しかしながら、上記特許文献１に記載のものは、天板支持枠体の端部を構成するコーナジョイントを上下に重合させ、両者の開き角度を決めてから１本のネジで上方のコーナジョイントに螺合させて両天板支持枠体を締め付けていた。このため締め付け時にネジを強く締め過ぎると連れ回りを起こして設定角度位置が変わってしまい、緩いと設定角度位置が定まらず、いずれにしても天板支持枠体に天板を取付ける際に取付けネジ位置がずれてしまう恐れがあった。
【０００５】
本発明は、このような状況に鑑みてなされたもので、ブラケットに対する２つの天板支持枠体の角度設定と支持固定を正確かつ確実に行えるようにしたテーブル等の天板支持構造を提供することを目的とするものである。
【０００６】
【課題を解決するための手段】
上記課題を解決するために、本発明のテーブル等の天板支持構造は、天板と、複数の支柱と、一側で天板を支持し他側で支柱に取付けられたブラケットと、２つの支柱間に橋架した前記ブラケットに支持される天板支持枠体とを有するテーブル等の天板支持構造であって、前記ブラケットは２つの天板支持枠体を任意の角度位置に選択的にそれぞれ支持固定できることを特徴としている。
この特徴によれば、２つの天板支持枠体をそれぞれ任意の角度位置に支持固定できるので、天板形状が変わっても天板支持枠体を正確にかつ確実にブラケット上に配設できる。
【０００７】
本発明のテーブル等の天板支持構造において、前記ブラケットと天板支持枠体は軸と孔との嵌合で回動可能に支持され、該軸に挿通したボルトで固定されることが好ましい。
このようにすれば、回動部と固定部が同一の軸線上で行うことができるので、構造が簡素で組み付けやすい。
【０００８】
本発明のテーブル等の天板支持構造において、前記天板支持枠体の前記ブラケットに対する角度位置の選択は一方に設けた複数の孔又はピンと、他方に設けたそれに対応して嵌合するピン又は孔であることが好ましい。
このようにすれば、ピンと孔との嵌合で天板支持枠体がブラケットに対し位置決めされるので、締め付け固定時においても天板支持枠体がブラケットに対して角度ズレが生じるようなことは起きない。
【０００９】
本発明のテーブル等の天板支持構造において、前記天板支持枠体は中間ビームと連結ビームとで構成され、該連結ビームが前記ブラケットに対して支持固定されていることが好ましい。
このようにすれば、長さの異なる各種天板支持枠体に対しても、中間ビームの長さを変えることで対応可能である。
【００１０】
【発明の実施の形態】
以下、本発明の実施形態を図面に基づいて説明する。図１の（ａ）は本発明の一実施形態に係る天板支持構造が採用されたテーブルの平面図であって、（ｂ）のＸ−Ｘ断面図、（ｂ）はそのテーブルの側面図、図２は天板支持構造の要部を示す部分拡大平面図、図３は天板支持枠体の作用説明図、図４の（ａ）はブラケットの平面図、（ｂ）はブラケットの側面図であり、図５の（ａ）は天板支持枠体の平面図、（ｂ）は（ａ）のＡ−Ａ断面図、（ｃ）は（ａ）のＢ矢視図である。
【００１１】
図１に示す符号１はテーブルであって、このテーブル１は、天板２と、この天板２を支持する４本の支柱４ａ、４ｂ、４ｃ、４ｄとを備え、これら支柱４ａ、４ｂ、４ｃ、４ｄの頂部と横長矩形の天板２下面の間にはそれぞれブラケットＢ１、Ｂ２、Ｂ３、Ｂ４が介設されている。
【００１２】
即ち、これらブラケットＢ１〜Ｂ４は、図２及び図４に示すように支柱４ａ〜４ｄの頂部にボルトを介して取付ける支柱取付け部８ａ（図４ｂ参照）を突設した延出部７と、この延出部７より起立形成された天板取付け部８（ハッチング部）とから構成されている。
【００１３】
この天板取付け部８は、図４（ａ）、（ｂ）に示すように、天板２を取付ける上面に多数のネジ穴が形成されており、天板取付け部８の両側には、一段低く形成された段付き面１０ａ、１０ｂを有すると共に、天板取付け部８と相対して離間し、延出部７上面に起立した支柱取付け部８ａが面一に形成されている。
【００１４】
そして、この支柱取付け部８ａには雌ねじが形設されており、支柱の下方から挿入したボルト（図示せず）により、ブラケットＢ１〜Ｂ４がそれぞれの支柱４ａ〜４ｄ頂部に取付けられる。そして延出部７の支持面７ｂ上面には挿通孔ｈ１、ｈ２を有する軸部となる一対の嵌合ボス１２ａ、１２ｂが突設している。
【００１５】
更に、図２に示すように後述する天板支持枠体の一部を構成する連結ビームＦ１、Ｆ２上面の複数の位置決め孔に嵌合する一対の位置決めピンＰ１、Ｐ２（図中黒丸で示される）が突設している。
【００１６】
次に、天板支持枠体に付き図１、図２及び図５を参照して説明する。この天板支持枠体Ｘは、互いに対向配置された連結ビームＦ１、Ｆ１’とその間に連結された中間ビーム６から成り、同様に連結ビームＦ４、Ｆ４’とその間に連結された中間ビーム６、連結ビームＦ２、Ｆ３とその間に連結された中間ビーム５及び連結ビームＦ２、Ｆ２’とその間に連結された中間ビーム５からそれぞれ構成されている。
【００１７】
これら連結ビームは、全て同一構成となっているため、特定の連結ビームＦ１に付き説明する。
【００１８】
連結ビームＦ１は、高さが図５（ｂ）に示すように、上記ブラケットＢ１の支持面７ｂ上面と天板取付け部８までの高さで形成され、この高さおよび横幅は連結ビームＦ１に連結される中間ビーム６と同形に形成され、底面と天板内面側が一部開放された中空部２２を有する所定長さの箱形構造で構成されている。
【００１９】
更に、連結ビームＦ１の一端側には、ボルト２８の軸部を上下に挿通する挿通孔２６を設けたボス２０が形成され、その下面にはブラケットＢ１の嵌合ボス１２ａに挿嵌可能な嵌合穴２５ｂが形成されると共に、上面にはボルト２８の頭部が収容されるザグリ穴２５ａが形成されている。
【００２０】
また、連結ビームＦ１の他端側に形成される断面角型筒状の端面に、中間ビーム６端部の内周壁６ａに嵌合可能な段付き状の嵌合突部１４が形成され、中央にはボルト挿通孔Ｈが形成されている。
【００２１】
図５（ａ）に示すように、連結ビームＦ１の挿通孔２６を中心とする半径の円弧上には、複数の位置決め孔Ｑ１、Ｑ２及びＱ３が形成され、その半径は図４（ａ）に示すブラケットＢ１の嵌合ボス１２ａの挿通孔ｈ１の中心から位置決めピンＰ１までの距離と等しい。中間に配設される位置決め孔Ｑ２は、互いに接近した２つの連通する位置決め孔Ｑ２’Ｑ２’’として構成されている。更に、連結ビームＦ１上面のほぼ中央には天板２を取付けるためのボルト挿通孔２４が形成されている。
【００２２】
従って、連結ビームＦ１、Ｆ２の嵌合穴２５ｂがブラケットＢ１の嵌合ボス１２ａ，１２ｂに挿嵌され、位置決め孔Ｑ１が、それぞれブラケットＢ１上の位置決めピンＰ１、Ｐ２に挿嵌された際には、図２に示すように一対の連結ビームＦ１、Ｆ２が互いに直交する角度（９０度）を形成することができる。
【００２３】
次に、図３に示すように、嵌合穴２５ｂを中心と位置決めピンＰ１を結ぶ直線に対しＱ３が角度θ３の位置に形成されていれば、連結ビームＦ１を嵌合ボス１２ａに挿嵌した後、嵌合穴２５ｂを中心として時計回りに回動させて外側の位置決め孔Ｑ３に位置決めピンＰ１を挿嵌させた際は、嵌合穴２５ｂの中心と位置決めピンＰ１を結ぶ直線に対し連結ビームＦ１は角度θ３開いて設置することができる。
【００２４】
以下、同様に位置決め孔Ｑ２’、Ｑ２’’を選択して位置決めピンＰ１に挿嵌させれば、嵌合穴２５ｂの中心と位置決めピンＰ１を結ぶ直線に対し連結ビームＦ１は、それぞれ角度θ１、θ２開いて設置することができる。
【００２５】
これにより、本発明の天板支持構造によれば、位置決め孔を設定することで、２つの交叉する連結ビームＦ１、Ｆ２をそれぞれ任意の角度位置に支持固定することができる。したがって、天板２の形状が横長矩形ばかりでなく、多角形状に形成されたものであっても、連結ビームＦ１、Ｆ２の位置決め孔Ｑ１〜Ｑ３を位置決めピンＰ１に選択的に挿嵌することで、中間ビームを天板２の外周を構成する各辺に沿って、所定の交叉角度で正確にかつ確実にブラケットＢ１上に配設できる。
【００２６】
また、ブラケットＢ１と連結ビームＦ１、Ｆ２は、一対の嵌合ボス１２ａ、１２ｂと嵌合穴２５ｂとの嵌合で回動可能に支持され、これら嵌合ボス１２ａ、１２ｂの挿通孔２６に挿通したボルト２８で固定されるので、回動部と固定部が同一の軸線上で行うことができ、構造が簡素で組み付け易い。
【００２７】
そして、連結ビームＦ１、Ｆ２のブラケットＢ１に対する角度位置θ１〜θ３の選択は、一方に設けた複数の位置決め孔Ｑ１、Ｑ２及びＱ３と、他方に設けたそれに対応して嵌合する一対の位置決めピンＰ１、Ｐ２によって行われるので、締め付け固定時においても連結ビームＦ１、Ｆ２がブラケットＢ１に対する角度ズレが生じるようなことはない。
【００２８】
次に、連結ビームＦ１、Ｆ２と中間ビーム５、６の接続構造に付き図１及び図５を参照して説明する。
【００２９】
図５（ｂ）に示す連結ビームＦ１の他端側に形成される嵌合突部１４に中間ビーム６他端の内周壁６ａを嵌合させた状態で、断面角型の筒状中間ビーム６の一端内部に接合された盲板６ｂのねじ孔ＴＨに、連結ビームＦ１の開放された底面側から中空部２２よりボルト挿通孔Ｈを介して挿通したボルト１５を螺着することで連結ビームＦ１と中間ビーム６の一端が連結される。
【００３０】
そして、図１（ａ）に示すように、中間ビーム６の他端側には、対向する連結ビームＦ１’が連結されると共に、互いに対向配置される連結ビームＦ４とＦ４’の間には同じ構造の中間ビーム６が連結される。
【００３１】
同様にして、連結ビームＦ１に隣接配置される他方の連結ビームＦ２の他端側には、対向する連結ビームＦ３の間には中間ビーム５が連結され、連結ビームＦ１’に隣接配置される他方の連結ビームＦ２’と連結ビームＦ４’に隣接配置される連結ビームＦ３’間には、同じ構造の中間ビーム５が連結される。
【００３２】
そして、天板２は、ボルト挿通孔２４を介して挿通したボルト３０により連結ビームＦ１の上面に支持され、同様に他の連結ビームＦ１’、Ｆ２、Ｆ２’、Ｆ３、Ｆ３’、Ｆ４、Ｆ４’の上面にも支持される。
【００３３】
更に、ブラケットＢ１、Ｂ２、Ｂ３、Ｂ４の天板取付け部８に形成されたねじ穴を介して天板２が取付けられる。また、中間ビーム５及び６の上面にも図示しないボルトを介して天板２が取付けられる。
【００３４】
上記のように、天板支持枠体Ｘは、ブラケットに対して支持固定されて対向配置される連結ビーム間に中間ビームが連結された接続構造となっているので、長さの異なる各種天板支持枠体に対しても、中間ビームの長さを変えることで対応可能となる。
【００３５】
以上、本発明の実施形態を図面により説明してきたが、具体的な構成はこれら実施例に限られるものではなく、例えば、ブラケットに位置決めピンを連結ビームに位置決め孔を設けたもので説明したが、ブラケットに位置決め孔を形成し連結ビーム側に位置決めピンを設けるようにしてもよい。
【００３６】
【発明の効果】
本発明は以下の効果を奏する。
【００３７】
（ａ）請求項１項の発明によれば、２つの天板支持枠体をそれぞれ任意の角度位置に支持固定できるので、天板形状が変わっても天板支持枠体を正確にかつ確実にブラケット上に配設できる。
【００３８】
（ｂ）請求項２項の発明によれば、回動部と固定部が同一の軸線上で行うことができるので、構造が簡素で組み付けやすい。
【００３９】
（ｃ）請求項３項の発明によれば、ピンと孔との嵌合で天板支持枠体がブラケットに対し位置決めされるので、締め付け固定時においても天板支持枠体がブラケットに対して角度ズレが生じるようなことは起きない。
【００４０】
（ｄ）請求項４項の発明によれば、長さの異なる各種天板支持枠体に対しても、中間ビームの長さを変えることで対応可能である。
【図面の簡単な説明】
【図１】（ａ）は本発明の一実施形態に係る天板支持構造が採用されたテーブルの平面図であって、（ｂ）のＸ−Ｘ断面図、（ｂ）はそのテーブルの側面図である。
【図２】天板支持構造の要部を示す部分拡大平面図である。
【図３】天板支持枠体の作用説明図である。
【図４】（ａ）はブラケットの平面図、（ｂ）はブラケットの側面図である。
【図５】（ａ）は天板支持枠体の平面図、（ｂ）は（ａ）のＡ−Ａ断面図、（ｃ）は（ａ）のＢ矢視図である。
【符号の説明】
１                    テーブル
２                    天板
４ａ〜４ｄ            支柱
５、６                中間ビーム
６ａ                  内周壁
６ｂ                  盲板
７                    延出部
７ｂ                  支持面
８                    天板取付け部
８ａ                  支柱取付け部
１０ａ、１０ｂ        段付き面
１２ａ、１２ｂ        嵌合ボス
１４                  嵌合突部
１５                  ボルト
２０                  ボス
２２                  中空部
２４                  ボルト挿通孔
２５ａ                ザグリ穴
２５ｂ                嵌合穴
２６                  挿通孔
２８、３０            ボルト
Ｂ１                  ブラケット
Ｆ１、Ｆ２、Ｆ３、Ｆ４連結ビーム
Ｈ                    ボルト挿通孔
ｈ１、ｈ２            挿通孔
Ｐ１、Ｐ２            位置決めピン
Ｑ１、Ｑ２、Ｑ３      位置決め孔
Ｑ２’、Ｑ２’’        位置決め孔
ＴＨ                  ねじ孔
Ｘ                    天板支持枠体
【図１】
2004159694.tif 000003
【図２】
2004159694.tif 000004
【図３】
2004159694.tif 000005
【図４】
2004159694.tif 000006
【図５】
2004159694.tif 000007